(57)【要約】【課題】セルフタイマー機能が設定されていたとしても、状況に応じてセルフタイマーが解除される仕組みを提供することを目的としている。【解決手段】セルフタイマー機能を有する撮像装置において、セルフタイマー機能が設定されている際に、撮像装置が動いたかどうかを検知し、撮像装置が動いたと検知した場合には、セルフタイマー機能を解除するように制御する。これにより、ユーザがセルフタイマー機能を解除する手間を削減することができる。【選択図】図３
2018036346.tif 000002
【特許請求の範囲】
【請求項１】
セルフタイマー機能を有する撮像装置であって、
前記セルフタイマー機能が設定されている際に、前記撮像装置が動いたかどうかを検知する検知手段と、
前記検知手段で前記撮像装置が動いたと検知した場合に、前記セルフタイマー機能を解除する制御手段と、
を備えることを特徴とする撮像装置。
【請求項２】
前記制御手段は、前記セルフタイマー機能が設定されてから１枚目の撮影の際には、前記セルフタイマー機能を解除しないことを特徴とする請求項１に記載の撮像装置。
【請求項３】
前記制御手段は、前記撮像装置で撮像指示がされたタイミングの所定時間以内に、前記撮像装置が動いたと検知した場合に、前記セルフタイマー機能を解除することを特徴とする請求項１または２に記載の撮像装置。
【請求項４】
前記制御手段は、前記撮像装置で撮像指示がされたタイミングより前に撮像装置が動いたと検知された場合には、前記撮像指示に応じた通常の撮像動作を行うことを特徴とする請求項３に記載の撮像装置。
【請求項５】
前記セルフタイマー機能は、前記撮像装置で撮像指示がされた所定時間の後、撮像動作を行う機能であることを特徴とする請求項１乃至４のいずれか１項に記載の撮像装置。
【請求項６】
前記制御手段は、前記セルフタイマー機能を解除した場合には、ユーザに解除した旨の通知を行うように制御することを特徴とする請求項１乃至５のいずれか１項に記載の撮像装置。
【請求項７】
セルフタイマー機能を有する撮像装置の制御方法であって、
前記セルフタイマー機能が設定されている際に、前記撮像装置が動いたかどうかを検知する検知工程と、
前記検知工程で前記撮像装置が動いたと検知した場合に、前記セルフタイマー機能を解除する制御工程と、
を備えることを特徴とする制御方法。
【請求項８】
セルフタイマー機能を有する撮像装置に搭載可能なプログラムであって、
前記撮像装置を、
前記セルフタイマー機能が設定されている際に、前記撮像装置が動いたかどうかを検知する検知手段、
前記検知手段で前記撮像装置が動いたと検知した場合に、前記セルフタイマー機能を解除する制御手段、
として機能させることを特徴とするプログラム。
【発明の詳細な説明】
【技術分野】
【０００１】
本発明は、撮像装置、その制御方法及びプログラムに関する。
【背景技術】
【０００２】
近年のデジタルカメラなどの撮像装置では、一定時間が経過すると自動的にシャッターを切ることが出来るセルフタイマー機能が搭載されており、ユーザはこのようなセルフタイマーを起動させることにより所望の場合にセルフタイマー機能を用いることができるように設けられている。
特許文献１には、このようなセルフタイマー機能を搭載したデジタルカメラが開示されている。
【先行技術文献】
【特許文献】
【０００３】
【特許文献１】特開2014-199280号公報
【発明の概要】
【発明が解決しようとする課題】
【０００４】
このようなデジタルカメラでは、一般的に一度セルフタイマー機能がＯＮとなると、ユーザが設定を解除しない限り、毎回セルフタイマー機能を用いた撮影が行われることになる。しかしながら、いちいちユーザが設定を解除する操作は煩雑であり、いざ通常撮影を行いたいと考えている場合に、設定を解除する操作を行わなければ通常撮影が行えないとすると、シャッターチャンスを逃してしまう可能性もある。
【０００５】
本願発明上記課題を鑑みなされたものであり、セルフタイマー機能が設定されていたとしても、状況に応じてセルフタイマーが解除される仕組みを提供することを目的としている。
【課題を解決するための手段】
【０００６】
上記課題を解決するために、本願発明の撮像装置は、セルフタイマー機能を有する撮像装置であって、記セルフタイマー機能が設定されている際に、前記撮像装置が動いたかどうかを検知する検知手段と  前記検知手段で前記撮像装置が動いたと検知した場合に、前記セルフタイマー機能を解除する制御手段と、を備えることを特徴としている。
【発明の効果】
【０００７】
本発明によれば、セルフタイマー機能が設定されていたとしても、状況に応じてセルフタイマーが解除される仕組みを提供することができる。
【図面の簡単な説明】
【０００８】
【図１】カメラ（撮像装置）のハードウェア構成図である。
【図２】カメラ（撮像装置）の機能構成図の一っ例を示す図である。
【図３】第１の実施形態に係るセルフタイマー機能の解除の流れを説明するフローチャートである。
【図４】セルフタイマー機能が解除されたことを通知する画面の一例である。
【図５】第２の実施形態に係るセルフタイマー機能の解除の流れを説明するフローチャートである。
【図６】第３の実施形態に係るセルフタイマー機能の解除の流れを説明するフローチャートである。
【発明を実施するための形態】
【０００９】
本発明はセルフタイマー機能を有する撮像装置に関するものであり、図１を参照して、本発明の実施形態における、撮像装置１０３のハードウェア構成および撮影機能の一例について説明する。
【００１０】
図１で、撮影装置は、いわゆる一眼レフ等のデジタルカメラから成り、撮影用のレンズ３０１、撮像素子（以下、「ＣＣＤ」と称する）３０２、カメラ信号処理部（以下、「ＡＤＣ」と称する）３０３、画像処理部３０４、システムコントローラ３１０、バッファメモリ３１１、フラッシュＲＯＭ３１２、インターフェース回路（以下、「Ｉ／Ｆ回路」と称する）３１３、カードホルダ３１４、メモリカード３１５、ディスプレイドライバ３１６、および操作部３２０を備える。
【００１１】
レンズ３０１は、レンズ等であり、対物レンズ、ズームレンズ、およびフォーカスレンズなどで構成される。ズームレンズおよびフォーカスレンズについては、不図示の駆動機構により光軸方向へ駆動される。撮像素子３０２は、レンズ３０１から入射した撮像光を結像し、電気信号（アナログ信号）に変換して出力するＣＣＤイメージセンサで構成される。
【００１２】
カメラ信号処理部（ＡＤＣ）３０３は、撮像素子３０２から受けた電気信号にデジタル変換やホワイトバランス調整などの信号処理を行なって、デジタル信号に変換する機能を有する。システムコントローラ３１０は、画像処理部３０４、バッファメモリ３１１、フラッシュＲＯＭ３１２、Ｉ／Ｆ回路３１３、ディスプレイドライバ３１６、サウンドドライバ３１８、ＬＥＤドライバ３２８、および操作部３２０に接続されている
【００１３】
画像処理部３０４は、前処理部３０５、ＹＣ処理部３０６、電子ズーム処理部３０７、圧縮部３０８、および伸長部３０９を備え、カメラ信号処理部３０３から出力されるデジタル信号から画像データを生成し、各種画像処理を行う機能を有する。
【００１４】
前処理部３０５は、入力される画像データに基づく画像のホワイトバランスを調整するホワイトバランス処理や画像のガンマ補正処理を行う機能を有する。ホワイトバランス処理は、画像の色合いを、実物の色合いに近くなるように調整したり、光源（蛍光灯や太陽光など）に合った適正な色に調整したりする処理である。ガンマ補正処理は、画像のコントラストを調整する処理である。なお、前処理部３０５は、ホワイトバランス処理およびガンマ補正処理以外の画像処理を実行することも可能である。
【００１５】
ＹＣ処理部３０６は、入力される画像データに基づく画像を、輝度情報「Ｙ」と、輝度信号と青色の色差情報「Ｃｂ」と、輝度信号と赤色の色差情報「Ｃｒ」とに分離する機能を有する。電子ズーム処理部３０７は、画像の一部（例えば中央部）を所定の大きさでトリミングし、トリミングした画像を信号処理で元画像の大きさに拡大する機能を有する。電子ズーム処理部３０７は、例えば、撮影された１６００×３２００ドットの画像から中央の３０２４×７６８ドットの画像を切り出し、データ補間を行いながら１６００×３２００ドットのサイズに拡大することができる。
【００１６】
圧縮部３０８は、画像データをＪＰＥＧ（Ｊｏｉｎｔ  Ｐｈｏｔｏｇｒａｐｈｉｃ  Ｅｘｐｅｒｔ  Ｇｒｏｕｐ）方式などの圧縮形式によって圧縮する機能を有する。伸長部３０９は、圧縮されている画像データを伸長する機能を有する。例えば、画像データをＪＰＥＧ方式で圧縮する場合、まず、画像データの高周波成分と低周波成分の割合を数値化する離散コサイン変換処理が行われる（ＤＣＴ処理）。次に、画像の階調やグラデーションを表現する段階を数値（量子化ビット数）で表現する量子化処理が行われる。最後に、ハフマン符号化処理で画像データが圧縮される。
【００１７】
具体的には、画像データの信号文字列が一定のビット毎に区切られ、出現頻度が高い文字列に対してより短い符号が与えてられてゆく。なお、圧縮処理を行わないで画像データを記録する方式の場合は、圧縮部３０８および伸長部３０９を省略することができる。また、画像データの圧縮形式は、ＪＰＥＧ方式に限らず、ＧＩＦ（Ｇｒａｐｈｉｃａｌ  Ｉｎｔｅｒｃｈａｎｇｅ  Ｆｏｒｍａｔ）形式などであっても、同様に処理を行うことができる。
【００１８】
バッファメモリ３１１には、画像処理部３０４で画像処理が行われる際に、一時的に画像データが保存される。フラッシュＲＯＭ３１２には、撮影装置の各種設定情報や、後述するユーザ認証情報が保存される。Ｉ／Ｆ回路３１３は、システムコントローラ３１０から出力される画像データを、メモリカード３１５に記録可能なデータ形式に変換する。また、Ｉ／Ｆ回路３１３は、メモリカード３１５から読み出された画像データ等を、システムコントローラ３１０で処理可能なデータ形式に変換する。
【００１９】
カードホルダ３１４は、記録媒体であるメモリカード３１５を撮影装置に着脱可能にする機構を備えると共に、メモリカード３１５との間でデータ通信が可能な電気接点を備える。また、カードホルダ３１４は、撮影装置で利用される記録媒体の種類に応じた構造を有する。メモリカード３１５は、フラッシュメモリなどの半導体記憶素子を内蔵し、カードホルダ３１４に着脱可能なカード型の記録媒体である。メモリカード３１５には、撮影装置で撮影された画像データを記録することができる。
【００２０】
無線Ｉ／Ｆコントローラ（無線Ｉ／ＦＣ）３４０は、ネットワークを介して、外部と接続・通信するものであり、ネットワークでの通信制御処理を実行する。
【００２１】
ディスプレイドライバ３１６は、システムコントローラ３１０から出力される画像データを液晶ディスプレイ３１７で表示可能な信号に変換する。具体的には、ディスプレイドライバ３１６は、システムコントローラ３１０から出力されるデジタルの画像データをアナログ画像信号に変換する処理を行い、次に画像サイズを液晶ディスプレイ３１７の表示可能エリアのサイズに適したサイズに変換する処理を行う。
【００２２】
サウンドドライバ３１８は、システムコントローラ３１０から出力される音声データをスピーカ２１９で鳴動可能な信号に変換する処理を行う。ＬＥＤ（Ｌｉｇｈｔ  Ｅｍｉｔｔｉｎｇ  Ｄｉｏｄｅ）ＬＥＤドライバ３２８は、システムコントローラ３１０から出力される命令に従いランプ３２９の制御を行う。
【００２３】
操作部３２０は、電源スイッチ３２１、モードダイヤル３２２、撮影ボタン３２３、カーソルキー３２４、ズームボタン３２５、および閲覧（再生）ボタン３２６を備え、ユーザからの操作入力を受け付けて、操作内容に応じた信号をシステムコントローラ３１０に出力する。なお、操作部３２０には、図示の操作ボタン以外の操作ボタン類も含まれるが、それらの説明は省略する。
【００２４】
モードダイヤル（選択ボタン）３２２は、撮影動作のモードを切り替えるための回転可能なダイヤルである。ユーザはモードダイヤル３２２を操作することで、複数の撮影動作モードを選択することが可能である。なお、本発明の実施形態で、モードダイヤルは、ダイヤル式機構として記載をするが、例えば、ダイヤルではなくスライド式のボタンであってもよい。つまり、モードダイヤル３２２について、その機構はダイヤルに限定されず、カメラのモードを切り替えられるための機構を備えていることが本質である。
【００２５】
閲覧ボタン３２６は、撮影した画像データを閲覧する閲覧モード（再生モード）に切り替えるためのボタンである。閲覧ボタン３２６が押下されると、撮影モードから閲覧モードに移行する。なお、閲覧モードへの切替方法については、閲覧ボタン３２６の押下に限定されず、液晶ディスプレイ３１７上のタッチパネル（不図示）などによる移行方法であってもよい。
【００２６】
閲覧モードでは、システムコントローラ３１０が、Ｉ／Ｆ回路３１３を介して、カードホルダ３１４に装着されているメモリカード３１５から設定情報と画像データを読み出す。設定情報は、現在装着されているメモリカード３１５に記録されている画像の枚数および記録されている画像データの容量などである。読み出される画像データは、例えば、画像１枚分の画像データまたはサムネイルデータである。なお、メモリカード３１５から読み出される画像データは、上述したように所定の圧縮形式で圧縮されている。
【００２７】
メモリカード３１５から読み出された画像データは、Ｉ／Ｆ回路３１３およびシステムコントローラ３１０を介して、ディスプレイドライバ３１６へ入力される。ディスプレイドライバ３１６は、入力された画像データを液晶ディスプレイ３１７に表示させる。
【００２８】
カーソルキー３２４は、ユーザが撮影装置に対する所定の指示や機能選択を行うためのキーである。ユーザは、カーソルキー３２４により、撮影装置に対する各種設定情報やユーザ認証情報などの操作入力を行うことができる。また、カーソルキー３２４により、液晶ディスプレイ３１７にメニュー画面を表示させたり、撮影装置が有する所定の機能を選択することができる。さらに、カーソルキー３２４により、撮影装置で撮影された画像データを液晶ディスプレイ３１７上にプレビュー表示させることができる。プレビュー表示とは、撮像装置１０３で撮影した画像を、その直後に液晶ディスプレイ３１７に表示させる機能である。
【００２９】
なお、プレビュー表示については、液晶ディスプレイ３１７上に撮影した画像を１枚のみ表示する構成に限定されず、サムネイル画像を含む複数の画像を表示するように構成してもよい。また、プレビュー表示の切り替えについては、カーソルキー３２４の押下に限らず、他のボタンの押下などの一般的な方法を利用して切り替えられる構成にしてもよい。また、プレビュー表示画面で、プレビュー表示画像の削除や編集などが行えるように構成してもよい。
【００３０】
また、ユーザは、カーソルキー３２４を用いて撮影ボタン３２３がＯＮにされてから所定の時間待機した後で撮影動作を開始させるセルフタイマー機能を実行するセルフタイマーモードを設定することができる。セルフタイマーモードにおいて、撮影動作を開始させるまでの待機時間は、ユーザが操作部３２０の各種ボタンを操作することで変更可能である。
【００３１】
レンズ制御部３２７は、レンズ３０１のレンズに対して、ズーム、フォーカス、絞り等の制御を行う。また、撮影装置は、被写体を撮像して画像データを得る撮影モードと当該撮影モードで得た画像データを表示する閲覧（再生）モードとを備える。
【００３２】
なお、音声についてはマイクやスピーカを用いることで、撮像装置と同様に記録、及び再生が可能である。また、映像（動画）記録時には、通常音声記録も同時に行われ、圧縮部３０８および伸長部３０９で、映像と音声が多重化される。
水準器３３０は、撮像装置１０３の傾きを検知し、計測する。
【００３３】
次に、撮像装置１０３における通常の撮影モードにおける撮影動作について図１を用いて説明する。まず、ユーザが電源スイッチ３２１を操作し、撮像装置１０３の電源をＯＮにする。すると、撮像装置１０３に内蔵されているバッテリー（不図示）から各回路へ電源供給されて、撮像装置１０３の起動処理（レンズバリアを開く動作制御およびマイクロ情報処理装置のリセット処理など）が行われる。撮像装置１０３は、電源ＯＦＦ時に電源スイッチ３２１が押下されると電源ＯＮとなり、自動的に撮影モードとなるように構成されている。また、電源ＯＦＦ時に閲覧ボタンが押下されると電源ＯＮとなり、自動的に閲覧モードとなるように構成されている。
【００３４】
撮像装置１０３が撮影モードに移行すると、光学画像がレンズ３０１を介して撮影装置内へ入射し、撮像素子（ＣＣＤ）３０２に結像される。ＣＣＤ３０２は、入射される光学画像を電気信号に変換して、カメラ信号処理部（ＡＤＣ）３０３へ出力する。ＡＤＣ３０３は、入力される電気信号（アナログ信号）をデジタル信号に変換する。ＡＤＣ３０３から出力されるデジタル信号は画像処理部３０４に入力される。
【００３５】
画像処理部３０４内の前処理部３０５では、入力されるデジタル信号に基づき画像データを生成し、ホワイトバランス処理およびガンマ補正処理などが行われる。画像処理部３０４内のＹＣ処理部３０６では、画像データが輝度信号Ｙと色差信号ＣｒおよびＣｂとに分離され、色差信号ＣｒおよびＣｂの情報量を減らす処理が行われる。色差信号ＣｒおよびＣｂの情報量の削減処理は、例えば、画像の主走査方向の色情報を間引く「４：２：２ダウンサンプリング処理」や、画像の縦横方向の色情報を間引く「４：１：１ダウンサンプリング処理」などがある。なお、前処理部３０５およびＹＣ処理部３０６で画像処理を行う際は、画像データを一時的にバッファメモリ３１１に保存し、随時バッファメモリ３１１に保存されている画像データを読み出しながら画像処理が行われる。
【００３６】
画像処理部３０４から出力される画像データ（非圧縮）はシステムコントローラ３１０に入力される。システムコントローラ３１０は、画像処理部３０４から出力される画像データを、ディスプレイドライバ３１６へ出力する。ディスプレイドライバ３１６は、入力される画像データ（デジタル信号）をアナログ画像信号に変換すると共に、アナログ画像信号に基づく画像のサイズを液晶ディスプレイ３１７で表示可能なサイズに調整する。
【００３７】
また、ディスプレイドライバ３１６は、液晶ディスプレイ３１７に画像を表示させるよう制御する。このとき、液晶ディスプレイ３１７に表示される画像は、ＣＣＤ３０２、ＡＤＣ３０３、および画像処理部３０４で、連続的に信号処理されて生成される画像（スルー画像）である。
【００３８】
液晶ディスプレイ３１７にスルー画像が表示されている状態で、ユーザが希望のタイミングで撮影ボタン３２３を操作すると（撮像指示）、システムコントローラ３１０は画像処理部３０４に制御信号を出力する。画像処理部３０４に制御信号が入力されると、圧縮部３０８は、前処理部３０５およびＹＣ処理部３０６で画像処理された画像データをバッファメモリ３１１へ保存し、圧縮処理を行う。
【００３９】
具体的には、画像データの高周波成分と低周波成分の割合を数値化する離散コサイン変換処理（ＤＣＴ処理）や、画像の階調やグラデーションを表現する段階を量子化ビット数で表現する量子化処理や、画像データの信号文字列を一定のビット毎に区切り、出現頻度が高い文字列に対して、より短い符号を与えてゆくハフマン符号化処理などが実行される。圧縮された画像データは、システムコントローラ３１０およびディスプレイドライバ３１６を介して液晶ディスプレイ３１７に表示される。また、圧縮された画像データは、カードホルダ３１４を介してメモリカード３１５に記録される。
【００４０】
撮影ボタン３２３が操作される前にズームボタン３２５が操作されると、システムコントローラ３１０は光学ズーム処理や電子ズーム処理を実行し、画像の大きさを拡大または縮小させることができる。そして、ズームボタン３２５の操作後、撮影ボタン３２３が操作されると、拡大または縮小された画像の画像データがメモリカード３１５へ記録される。
【００４１】
以上が図１の、本発明の実施形態における、撮像装置のハードウェア構成および通常の撮影動作についての説明である。なお、ユーザによってセルフタイマー機能が設定されている場合には、撮影ボタン３２３（シャッター）が操作され撮像指示がなされてから、セルフタイマー機能で設定された所定時間後にシステムコントローラ３１０が画像処理部３０４に制御信号を出力以外は、通常の撮像動作と同様である。
【００４２】
図２は、本発明の撮像装置の機能構成図の一例であり、全体制御部２０１が、各処理部と連動して処理を行うことで発明を実現している。全体制御部２０１は、メニューボタン、設定キー、タッチパネルなどの入力を操作部２０２によって受け付け、処理した内容を液晶パネルなどの表示部２０３へ出力する。
【００４３】
セルフタイマー制御部２０４は、ユーザによってセルフタイマー機能の設定がなされている場合にセルフタイマーによるカウントやカント終了後の撮影が行われるように制御し、また、所定の条件を満たした場合に、セルフタイマー機能の解除を行う機能部である。
【００４４】
動き検知部２０５は、撮像装置１０３本体が動いたことを検知可能である。加速度セン
サーや手ぶれ防止機能の手ぶれ検知機構などを利用することができる。
【００４５】
（第１の実施形態）
本実施形態では、セルフタイマー機能が設定されている場合に、当該セルフタイマーモードは解除されるべきものとして解除する。このような流れを、図３のフローチャートに基づいて説明を行う。これらの制御は撮像装置１０３のシステムコントローラ３１０によって行われる。
【００４６】
Ｓ３０１では、撮像装置１０３のシステムコントローラ３１０は、撮像装置の撮影ボタン３２３（シャッター）が押下されたかを判断する。Ｓ３０１で押下されたと判断された場合にＳ３０２に進む。
【００４７】
Ｓ３０２では、撮像装置１０３のシステムコントローラ３１０は、セルフタイマー機能が設定されているかを判断する。設定されていない場合には、Ｓ３０６に進み通常の撮影が行われる。一方設定されている場合には、Ｓ３０３に進み、セルフタイマー機能を設定された後、１枚目の撮影かどうかを判断する。１枚目の撮影の場合には、ユーザがセルフタイマー機能を利用したいと考えているといえるため、セルフタイマー機能を解除することなく、セルフタイマーのカウントを開始し（Ｓ３０４）、設定された所定時間の経過の後（Ｓ３０５）、Ｓ３０６で撮影を行う。
【００４８】
Ｓ３０３で２枚目以降の撮影であると判断された場合には、Ｓ３０７に進み、撮像装置１０３のシステムコントローラ３１０は、セルフタイマーのカウントを開始する（Ｓ３０７）。
【００４９】
Ｓ３０８では、撮像装置１０３のシステムコントローラ３１０は、セルフタイマーのカウント中に動き検知部２０５により、手ぶれ等の動きを検知したかを判断する。Ｓ３０８において、セルフタイマーカウント中に動き検知部２０５により、手ぶれ等の動きを検知されなかった場合には、カウントが終了して所定時間経過したと判断された後に、Ｓ３０６に移行し、セルフタイマー機能による撮像動作が行われる。
【００５０】
一方、セルフタイマーのカウント中に動きを検知した場合には、ユーザがセルフタイマー機能の解除をし忘れている可能性があるといえるため、Ｓ３１０に進み、セルフタイマーのカウントを中止し、Ｓ３１１においてセルフタイマーモードを解除する。
【００５１】
その後、ユーザに対してセルフタイマー機能を解除したことを通知するために、ディスプレイ３１７に図４に示すような、手振れを検知したためセルフタイマーモードを解除したことを通知する画面４０１を表示し、処理を終了する。なお、通知画面を介してユーザによる解除了承がなされた後にセルフタイマーモードを解除するようにしてもよい。
【００５２】
これにより、セルフタイマー機能を設定したままユーザが解除することを忘れてしまっている場合でも、状況に応じて自動的に解除されることになり、ユーザが自らセルフタイマー機能の解除操作を行わなくとも、ユーザは次の撮影から通常の撮像動作で撮影をおこなうことができる。
【００５３】
（第２の実施形態）
第１の実施形態では、カメラのシャッターが押下された後に、カメラの動きを検知した場合にセルフタイマー機能が解除される例を用いて説明したが、本実施形態では、カメラのシャッターが押下される前に、カメラの動きを検知した場合にセルフタイマー機能が解除される例を説明する。このような流れを、図５のフローチャートに基づいて説明を行う。これらの制御は撮像装置１０３のシステムコントローラ３１０によって行われる。
【００５４】
Ｓ５０１では、撮像装置１０３のシステムコントローラ３１０は、撮像装置の撮影ボタン３２３（シャッター）が押下されたかを判断する。Ｓ５０１で押下されたと判断された場合にＳ５０２に進む。
【００５５】
Ｓ５０２では、撮像装置１０３のシステムコントローラ３１０は、セルフタイマー機能が設定されているかを判断する。設定されていない場合には、Ｓ５０６に進み通常の撮影が行われる。一方設定されている場合には、Ｓ５０３に進み、セルフタイマー機能を設定された後、１枚目の撮影かどうかを判断する。１枚目の撮影の場合には、ユーザがセルフタイマー機能を利用したいと考えているといえるため、セルフタイマー機能を解除することなく、セルフタイマーのカウントを開始し（Ｓ５０４）、設定された所定時間の経過の後（Ｓ５０５）、Ｓ５０６で撮影を行う。
【００５６】
Ｓ５０３で２枚目以降の撮影であると判断された場合には、Ｓ５０７に進み、撮像装置１０３のシステムコントローラ３１０は、シャッター押下されるタイミングより前の所定時間以内（直前）に動き検知部２０５により、手ぶれ等の動きを検知したかを判断する。
【００５７】
Ｓ５０７において、セルフタイマーカウント中に動き検知部２０５により、手ぶれ等の動きを検知されなかった場合には、Ｓ５０４に移行し、セルフタイマー機能による撮像動作が行われる。一方、手ぶれ等の動きを検知した場合には、セルフタイマー機能の解除ユーザが忘れている可能性が高いため、Ｓ５０８に移行し、即時に通常の撮像動作を行う。
【００５８】
その後、Ｓ５０９において、撮像装置１０３のシステムコントローラ３１０は、セルフタイマーモードの解除を行い、Ｓ５１０において、ユーザに対してセルフタイマー機能を解除したことを通知するために、ディスプレイ３１７に図４に示すような、手振れを検知したためセルフタイマーモードを解除したことを通知する画面４０１を表示し、処理を終了する。なお、通知画面を介してユーザによる解除了承がなされた後にセルフタイマーモードを解除するようにしてもよい。
【００５９】
これにより、セルフタイマー機能を設定したままユーザが解除することを忘れてしまっている場合でも、状況に応じて自動的に解除されるとともに、通常の撮像動作が行われるため、ユーザは自らセルフタイマー機能の解除操作と取直し動作を行わなくとも、所望の撮像を行うことができる。
なお、本実施形態では動きを検知するタイミングに応じて第１の実施形態と第２の実施形態とで分けて説明したが、これらをいずれも実施するようにしてもよい。
【００６０】
（第３の実施形態）
第２の実施形態では、カメラのシャッターが押下される前に、カメラの動きを検知した場合に通常の撮像動作を行い、その後セルフタイマー機能が解除される例を説明したが、本実施形態では、セルフタイマーを解除しつつもセルフタイマー撮像がなされる例を説明する。このような流れを、図６のフローチャートに基づいて説明を行う。これらの制御は撮像装置１０３のシステムコントローラ３１０によって行われる。
【００６１】
Ｓ６０１では、撮像装置１０３のシステムコントローラ３１０は、撮像装置の撮影ボタン３２３（シャッター）が押下されたかを判断する。Ｓ６０１で押下されたと判断された場合にＳ６０２に進む。
【００６２】
Ｓ６０２では、撮像装置１０３のシステムコントローラ３１０は、セルフタイマー機能が設定されているかを判断する。設定されていない場合には、Ｓ６０６に進み通常の撮影が行われる。一方設定されている場合には、Ｓ６０３に進み、セルフタイマー機能を設定された後、１枚目の撮影かどうかを判断する。１枚目の撮影の場合には、ユーザがセルフタイマー機能を利用したいと考えているといえるため、セルフタイマー機能を解除することなく、セルフタイマーのカウントを開始し（Ｓ６０４）、設定された所定時間の経過の後（Ｓ６０５）、Ｓ６０６で撮影を行う。
【００６３】
Ｓ６０３で２枚目以降の撮影であると判断された場合には、Ｓ６０７に進み、撮像装置１０３のシステムコントローラ３１０は、シャッター押下されるタイミングより前の所定時間以内（直前）に動き検知部２０５により、手ぶれ等の動きを検知したかを判断する。
【００６４】
Ｓ６０７において、セルフタイマーカウント中に動き検知部２０５により、手ぶれ等の動きを検知されなかった場合には、Ｓ６０４に移行し、セルフタイマー機能による撮像動作が行われる。一方、手ぶれ等の動きを検知した場合には、セルフタイマー機能の解除ユーザが忘れている可能性が高いため、Ｓ６０８に移行し、即時に通常の撮像動作を行う。
【００６５】
その後、Ｓ６０９において、セルフタイマーのカウントを開始し、設定された所定時間の経過の後（Ｓ６１０）、Ｓ６１１でセルフタイマー機能による撮影を行う。
【００６６】
Ｓ６１１では、撮像装置１０３のシステムコントローラ３１０は、セルフタイマーモードの解除を行い、Ｓ６１２において、ユーザに対してセルフタイマー機能を解除したことを通知するために、ディスプレイ３１７に図４に示すような、手振れを検知したためセルフタイマーモードを解除したことを通知する画面４０１を表示し、処理を終了する。なお、通知画面を介してユーザによる解除了承がなされた後にセルフタイマーモードを解除するようにしてもよい。
【００６７】
これにより、セルフタイマー機能を設定したままユーザが解除することを忘れてしまっている場合でも、状況に応じて自動的に解除されるとともに、通常の撮像動作が行われるため、ユーザは自らセルフタイマー機能の解除操作と取直し動作を行わなくとも、所望の撮像を行うことができる。さらに、セルフタイマー機能が解除される前に、セルフタイマー機能による撮影も行われるため、動きが検知されてしまったもののユーザがセルフタイマー機能による撮影を行いたいような状況であっても、的確に撮影を行うことができる。
【００６８】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【００６９】
なお、本発明は、前述した実施形態の機能を実現するソフトウェアのプログラムを、システム或いは装置に直接、或いは遠隔から供給するものを含む。そして、そのシステム或いは装置の情報処理装置が前記供給されたプログラムコードを読み出して実行することによっても達成される場合も本発明に含まれる。
【００７０】
したがって、本発明の機能処理を情報処理装置で実現するために、前記情報処理装置にインストールされるプログラムコード自体も本発明を実現するものである。つまり、本発明は、本発明の機能処理を実現するためのコンピュータプログラム自体も含まれる。
【００７１】
その場合、プログラムの機能を有していれば、オブジェクトコード、インタプリタにより実行されるプログラム、ＯＳに供給するスクリプトデータ等の形態であってもよい。
【００７２】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００７３】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【００７４】
また、本発明のプログラムを構成するプログラムコードを複数のファイルに分割し、それぞれのファイルを異なるホームページからダウンロードすることによっても実現可能である。つまり、本発明の機能処理を情報処理装置で実現するためのプログラムファイルを複数のユーザに対してダウンロードさせるＷＷＷサーバも、本発明に含まれるものである。
【００７５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行して情報処理装置にインストールさせて実現することも可能である。
【００７６】
また、情報処理装置が、読み出したプログラムを実行することによって、前述した実施形態の機能が実現される。その他、そのプログラムの指示に基づき、情報処理装置上で稼動しているＯＳなどが、実際の処理の一部又は全部を行い、その処理によっても前述した実施形態の機能が実現され得る。
【００７７】
さらに、記録媒体から読み出されたプログラムが、情報処理装置に挿入された機能拡張ボードや情報処理装置に接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【００７８】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００７９】
１０３撮像装置
２０２操作部
２０３表示部
２０４セルフタイマー制御部
２０５動き検知部
【図１】
2018036346.tif 000003
【図２】
2018036346.tif 000004
【図３】
2018036346.tif 000005
【図４】
2018036346.tif 000006
【図５】
2018036346.tif 000007
【図６】
2018036346.tif 000008